(57)【要約】【課題】意図しない接触操作が行われた否かを判断して、ユーザが意図する接触操作を可能にする操作装置及び該装置を備える電気機器を提供する。【解決手段】操作装置（９）は、情報を表示する表示部（３４）と、表示部において設定に関する情報を表示するとともに、接触操作によって機能する複数のタッチキー（３５）と、タッチキーの表示又は非表示を制御するキー表示制御部（３６）と、タッチキーが接触状態にあるか否かを判断するキー接触判断部（３７）と、タッチキーが表示状態にあるか否かを判断するキー表示判断部（３８）と、タッチキーのうち、或るタッチキーに対して意図しない接触操作が行われたか否かを判断して、意図しない接触操作が行われたと判断したときには当該或るタッチキーを無効化するキー無効化処理部（３９）とを備える。【選択図】図７
2018013911.tif 000002
【特許請求の範囲】
【請求項１】
情報を表示する表示部と、
前記表示部において設定に関する情報を表示するとともに、接触操作によって機能する複数のタッチキーと、
前記タッチキーの表示又は非表示を制御するキー表示制御部と、
前記タッチキーが接触状態にあるか否かを判断するキー接触判断部と、
前記タッチキーが表示状態にあるか否かを判断するキー表示判断部と、
前記タッチキーのうち、或るタッチキーに対して意図しない接触操作が行われたか否かを判断して、意図しない接触操作が行われたと判断したときには当該或るタッチキーを無効化するキー無効化処理部とを備えることを特徴とする操作装置。
【請求項２】
請求項１に記載の操作装置において、
前記意図しない接触操作が、前記或るタッチキーが表示状態に無いときになされた接触であることを特徴とする操作装置。
【請求項３】
請求項１に記載の操作装置において、
前記意図しない接触操作が、前記或るタッチキーの接触状態が所定時間以上続いていることであることを特徴とする操作装置。
【請求項４】
請求項１から請求項３のいずれか１項に記載の操作装置において、
前記タッチキーが、静電容量方式であることを特徴とする操作装置。
【請求項５】
請求項１から請求項４のいずれか１項に記載の操作装置と、
前記操作装置になされた接触操作に応じて、所定の制御を行う制御装置とを備える電気機器。
【請求項６】
請求項５に記載の電気機器において、
前記電気機器が、洗濯機であることを特徴とする電気機器。
【発明の詳細な説明】
【技術分野】
【０００１】
この発明は、操作装置及び該装置を備える電気機器に関する。
【背景技術】
【０００２】
洗濯機や加熱調理器などの電気機器では、表示部及びタッチキーを備える操作装置が利用されている。操作装置でのタッチキーが接触操作されると、接触操作されたタッチキーに応じた所定の機能が実行される。（例えば、特許文献１を参照）。
【先行技術文献】
【特許文献】
【０００３】
【特許文献１】特開２０１４−５０６０３号公報
【発明の概要】
【発明が解決しようとする課題】
【０００４】
しかしながら、タッチキーを備える操作装置ではタッチキーの操作感が得られないため、操作装置上に表示されていないタッチキーが意図されずに接触操作されてしまう場合がある。このとき、操作装置上に表示されたタッチキーをユーザがタッチしようとしても、非表示のタッチキーがすでに接触操作されているため、多重の接触状態と判断されてしまう。その結果、ユーザが意図的に接触操作したタッチキーに応じた所定の機能が実行不可になってしまう。
【０００５】
また、例えば、タッチキーに対する水滴の付着や本来の接触体以外のものによる接触によって、操作装置のタッチキーが所定時間以上接触状態にある場合も、意図的な接触操作では無い。この場合も、上記と同様に、多重の接触状態と判断されてしまう結果、意図的に接触操作されたタッチキーに応じた所定の機能が実行不可になってしまう。
【０００６】
したがって、この発明の解決すべき技術的課題は、意図しない接触操作が行われた否かを判断して、ユーザが意図する接触操作を可能にする操作装置及び該装置を備える電気機器を提供することである。
【課題を解決するための手段】
【０００７】
前記技術的課題を解決するために、この発明によれば、以下の操作装置及び該装置を備える電気機器が提供される。
【０００８】
すなわち、この発明に係る操作装置は、
情報を表示する表示部と、
前記表示部において設定に関する情報を表示するとともに、接触操作によって機能する複数のタッチキーと、
前記タッチキーの表示又は非表示を制御するキー表示制御部と、
前記タッチキーが接触状態にあるか否かを判断するキー接触判断部と、
前記タッチキーが表示状態にあるか否かを判断するキー表示判断部と、
前記タッチキーのうち、或るタッチキーに対して意図しない接触操作が行われたか否かを判断して、意図しない接触操作が行われたと判断したときには当該或るタッチキーを無効化するキー無効化処理部とを備えることを特徴とする。
【発明の効果】
【０００９】
この発明の操作装置では、或るタッチキーに対して意図しない接触操作が行われたか否かが判断されて、意図しない接触操作が行われたと判断されたときには当該或るタッチキーが無効化されるので、ユーザが意図する接触操作が可能になる。また、該操作装置を備える電気機器においても、意図しない接触操作に係るタッチキーが無効化されて、ユーザが意図する接触操作が可能になる。
【図面の簡単な説明】
【００１０】
【図１】この発明の電気機器の一実施形態に係るドラム式洗濯機の概略斜視図。
【図２】図１に示したドラム式洗濯機の概略縦断面図。
【図３】ドラム式洗濯機の制御ブロック図。
【図４】ドラム式洗濯機に設けられた操作装置において、全てのキーを非表示したときの模式図。
【図５】図４に示した操作装置において、一部のキーを表示したときの模式図。
【図６】図４に示した操作装置において、全てのキーを表示したときの模式図。
【図７】この発明の第１実施形態に係る操作装置におけるキーの判断動作を説明するフローチャート。
【図８】この発明の第２実施形態に係る操作装置におけるキーの判断動作を説明するフローチャート。
【発明を実施するための形態】
【００１１】
以下、図面を参照しながら、電気機器の一実施形態に係るドラム式洗濯機１を説明する。なお、この実施形態は、あくまでも一例であって、この発明は当該実施形態に限定されるものではない。
【００１２】
〔第１実施形態〕
図１は、第１実施形態に係るドラム式洗濯機１を斜め前方且つ斜め上方から見たときの外観を示す斜視図である。図２は、ドラム式洗濯機１の縦断面模式図である。図３は、ドラム式洗濯機１の制御ブロック図である。なお、本願では、洗濯及び乾燥を行うことができるドラム式洗濯乾燥機と、乾燥を行わず洗濯のみを行うドラム式洗濯機とを総称して、ドラム式洗濯機１と呼んでいる。
【００１３】
上記ドラム式洗濯機１は、外箱開口部６を前面部に有する外箱１ａを備えている。外箱１ａの前面部には、外箱開口部６を閉鎖するためのドア７がヒンジで左右方向に開閉可能に取り付けられている。また、外箱１ａの前面部には、操作装置９と洗剤投入部４７とが設けられている。この操作装置９の裏側(外箱１ａの内部側)には、ドラム式洗濯機１の動作を制御する制御装置１１(図２を参照)が配置されている。
【００１４】
図２は、上記ドラム式洗濯機１を側方から見た概略断面図である。
【００１５】
ドラム式洗濯機１は、外箱１ａ内に配置された有底筒形状の水槽２と、この水槽２内に回転可能に配置され、洗濯物を収容する有底筒形状のドラム３と、水槽２の後部に取り付けられ、ドラム３を回転駆動するブラシレスモータ４と、水槽２の後部を弾性支持する２本のダンパ１２(図２では１本のみ図示)とを備える。なお、ドラム３は回転槽の一例であり、ブラシレスモータ４は駆動装置の一例である。
【００１６】
上記外箱１ａの上面部の後部には給水口１０が設けられている。この給水口１０は、図示しない給水ホースを介して水道の蛇口に接続される。また、給水口１０が外箱１ａ内で給水弁１３の注入口に接続されている。これにより、水道水が、給水ダクト１５と、図示を省略した洗剤ケースとを経由して、水槽２の上部から水槽２内に流入したり、あるいは、冷却水ダクト１４を流れて、水槽２の下部から水槽２内に流入したりすることが可能になっている。なお、給水弁１３は給水装置の一例である。
【００１７】
上記水槽２の前面部には、斜め上方を向いて外箱開口部６に対向する水槽開口部１６が設けられている。この水槽開口部１６の開口縁は、筒状の接続部材１７を介して外箱開口部６の開口縁に接続されている。また、水槽開口部１６の開口縁には、ゴムや軟質樹脂等の弾性体から成るパッキン１８が固着されている。これにより、ドア７を閉じると、ドア７がパッキン１８に密着して、水槽２内の液体が水槽２外へ漏れ出るのを防げるようになっている。また、排水モータ２３が排水弁２２を開放すると、水槽２内の液体は、排水ダクト１９、接続ケース２０および排水ホース２１を順次流れて外箱１ａ外へ流出する。また、排水弁２２を閉鎖した状態で循環ポンプ２４を駆動すると、水槽２内の液体を水槽２外に出して、排水ダクト１９および循環ダクト２５を介して水槽２内に戻せるようになっている。また、接続ケース２０は、糸屑フィルタ７０を収容している。
【００１８】
ドラム３は、前側に対して後側が下がるように水平方向に対して傾斜するように配置されている。また、ドラム３の前面部には、外箱開口部６および水槽開口部１６に対向するドラム開口部２６が設けられている。また、ドラム３の周壁には複数の小孔２７(図２では６個のみ図示)が全周にわたって設けられている。また、ドラム３の周壁の内面には、半径方向内側に向かって突出する複数のバッフル２８(図２では１個のみ図示)が設けられている。また、ドラム３のドラム開口部２６には液体バランサ２９が取り付けられている。
【００１９】
上記ダンパ１２は、オイルが封入されたシリンダ部４２と、上端部がシリンダ部４２内に入ったピストンロッド４３とを有している。このピストンロッド４３の下端部は、弾性材(例えばニトリルゴム)からなるダンパブッシュ４４を介してダンパ支持金具４５に取り付けられている。
【００２０】
また、このドラム式洗濯機１では、洗濯物を乾燥させるためのヒートポンプユニット(図示せず)が、水槽２の下方背面側に配置されている。このヒートポンプユニットは、乾燥運転には、洗濯物の水分を含んだ空気が回転するドラム３から導入され、水分を含んだ空気の除湿，加熱を行い、乾燥した温風を上記ドラム３へ導入する。
【００２１】
図３は、上記ドラム式洗濯機１の制御ブロック図である。
【００２２】
制御装置１１は、ＣＰＵ（Central Processing Unit）と入出力回路などからなる。ブラシレスモータ４，操作装置９，給水弁１３，排水モータ２３，循環ポンプ２４が制御装置１１に接続されている。この操作装置９からの信号等に基づいて、制御装置１１は、ブラシレスモータ４，給水弁１３，排水モータ２３，循環ポンプ２４，タッチキー３５等を制御する。
【００２３】
制御装置１１は、読み出し書き換え可能な不揮発性のメモリ４８とタイマー４９を有する。
【００２４】
制御装置１１は、それぞれがＣＰＵによって構成される、キー表示制御部３６と、キー接触判断部３７と、キー表示判断部３８と、キー無効化処理部３９とを有する。キー表示制御部３６は、タッチキー３５の表示又は非表示を制御する。キー接触判断部３７は、タッチキー３５が接触してＯＮ状態にあるか否かを判断する。キー表示判断部３８は、タッチキー３５が表示状態にあるか否かを判断する。キー無効化処理部３９は、複数のタッチキー３５のうち、或るタッチキー３５に対して意図しない接触操作が行われたか否かを判断して、意図しない接触操作が行われたと判断したときには当該或るタッチキー３５を無効化する。
【００２５】
キー無効化処理部３９は、意図しない接触操作として、非表示状態のタッチキー３５に対して接触がなされる場合、あるいは、タッチキー３５が所定時間以上接触状態にある場合、当該タッチキー３５について無効化の処理を行う。ここで、所定時間以上の接触状態とは、タッチパネル上への水滴の付着、本来の接触体以外のものによる接触（例えば、右手で接触体を使用しつつ左手がタッチパネルに接触した状態）などである。また、所定時間というのは、長押しで接触操作される時間（例えば３秒）よりも長い時間であり、例えば５秒である。
【００２６】
上記操作装置９は、図３に示すように、スタートボタン３０と、電源ボタン３１と、ロック解除ボタン３２と、表示部３４と、複数のタッチキー３５とを有する。これらのボタン３０，３１，３２は、指に操作感を与えるタクトキーにした態様や、タッチパネルの表面に文字などの情報を印刷して常に表示する態様にすることができる。
【００２７】
電源ボタン３１は、電源をＯＮ又はＯＦＦにする機能を有する。図４に示すように、電源がＯＮになっていない状態では、タッチキー３５が表示されない。スタートボタン３０は、決定された運転内容での運転の開始する、又は、運転を一時的に停止させる機能を有する。ロック解除ボタン３２は、ドア７のロック解除を行う機能を有する。ドア７がロックされると、表示部３４に文字「ドアロック」が表示される。ドア７のロック状態でロック解除ボタン３２が押圧されると、ドア７のロックが解除され、表示部３４における文字「ドアロック」が非表示に切換えられる。
【００２８】
操作装置９は、表示部３４（例えば、液晶パネル）上にタッチパネルを重ねて構成されている。タッチパネルは、透明素材からなり、タッチパネル上には、複数のタッチキー３５が形成されている。表示部３４は、液晶パネルに限らず、有機ＥＬなどの他の表示デバイスを用いてもよく、カラー表示又は白黒表示とすることができる。タッチパネルは、接触体によってその表面に対して接触操作が行われると、表面電荷が変化する静電容量方式のものである。なお、タッチパネルは、例えば、抵抗膜方式、表面弾性波方式、赤外線方式又は電磁誘導方式のものにすることができる。
【００２９】
表示部３４は、動作状態、各種設定、ユーザへのメッセージ等の各種情報を表示する。タッチキー３５は、表示部３４上に形成されており、設定に関する情報を表示する。それとともに、タッチキー３５は、ユーザの指やペン状体のような接触体の接触によって入力操作を行うためのキーである。
【００３０】
各タッチキー３５は、文字部分及び／又は図形部分と、枠部分と（以下、文字部分などという。）を有する。各タッチキー３５では、文字部分などが透光性を有し、その他の部分が遮光性である。各タッチキー３５の背面には、図示しない光源、例えばＬＥＤ（Light Emitting Diode）が配置されている。キー表示制御部３６によって、光源が点灯して、対応するタッチキー３５への光の照射が制御される。タッチキー３５の背面に対して光が照射されると、文字部分などが表示され、各タッチキー３５は視認可能な表示状態となる。その結果、各タッチキー３５の文字部分などによって、設定に関する情報が表示される。
【００３１】
タッチキー３５のうち、対応する光源が点灯していないタッチキー３５については、文字部分などが視認不可の非表示状態になっている。このように、キー表示制御部３６によって、各タッチキー３５の表示又は非表示が切換え可能に構成されている。
【００３２】
図４は、電源ボタン３１の押下によって電源がＯＮになる前の状態を示している。図５は、電源ボタン３１の押下によって電源がＯＮになり、初期状態に対応する文字部分などを表示した状態を示している。図６は、表示部３４に表示される各種情報と、タッチキー３５の操作部との全てを表示した状態を示している。
【００３３】
図６に示すように、タッチキー３５のうち、運転切換キーは、接触される毎に、表示情報が、「リフレッシュ」、「お手入れ」、「個別運転」、「洗濯」、「乾燥」及び「洗濯〜乾燥」に変更する機能を有する。タッチキー３５のうち、コースキーは、接触操作の毎に、表示情報が、「標準」、「お急ぎ」、「柔らか」、「わが家流」などに変更する機能を有する。タッチキー３５のうち、メニューキーは、キーの詳細内容の決定に係るキーを表示する機能を有する。
【００３４】
また、タッチキー３５には、洗濯運転や乾燥運転の終了時刻の予約する機能を有するキー、ふろ水を用いた洗いやすすぎに変更する機能を有するキー、最終すすぎを除菌及び防臭の効果のあるすすぎ水で行う機能を有するキー、洗濯運転や乾燥運転の後に除菌及び防臭を行う機能を有するキー、洗濯運転ですすぎの回数を１回にする機能を有するキーが配設されている。さらに、タッチキー３５には、「個別運転」が選択されている場合に、洗いを行う機能を有するキー、すすぎを行う機能を有するキー、脱水を行う機能を有するキー、乾燥運転を行う機能を有するキー、表示部３４に表示されている時刻、時間又は回数等の数値の減少又は増加させる機能を有するキーが配設されている。
【００３５】
なお、操作装置９におけるタッチキー３５の非表示状態は、光源がわずかに点灯して、タッチキー３５に表示される操作部の全体の色合いを濃くして非常に見にくくして疑似的に非表示状態にした態様も含む。
【００３６】
なお、操作装置９がＣＰＵを内蔵して、当該ＣＰＵが、上述したキー表示制御部３６、キー接触判断部３７、キー表示判断部３８及びキー無効化処理部３９として機能するように構成することもできる。
【００３７】
次に、図７に示すフローチャートに従って、第１実施形態に係る操作装置９における制御装置１１によるキーの判断動作を説明する。
【００３８】
ステップＳ１１では、キー接触判断部３７は、例えば、静電容量方式のタッチパネルにおいて或るタッチキー３５のレベルが設定値よりも下であるとき、或るタッチキー３５が接触によってＯＮ状態にあると判断する。
【００３９】
ステップＳ１２では、キー接触判断部３７は、複数のタッチキー３５のうち、どのタッチキー３５がＯＮ状態にあるかを抽出する。
【００４０】
ステップＳ１３では、キー表示判断部３８は、ＯＮ状態にあると抽出された或るタッチキー３５が、表示状態にあるか否かを判定する。
【００４１】
ＯＮ状態にあると抽出された或るタッチキー３５が、表示状態であると判定されると（ステップＳ１３：ＹＥＳ）、意図する接触操作が行われたと判断され、当該或るタッチキー３５が有効キーであるとして有効キーの抽出が行われる（ステップＳ１４）。
【００４２】
ステップＳ１３では、キー無効化処理部３９は、或るタッチキー３５がＯＮ状態にあっても表示状態ではないと判定すると（ステップＳ１３：ＮＯ）、意図しない接触操作が行われたと判断して、有効キーの抽出を行わないようにキーの無効化処理を行う。
【００４３】
ステップＳ１５では、全てのタッチキー３５についてキー検出が行われた否かが判定される。
【００４４】
ステップＳ１５では、全てのタッチキー３５についてキー検出が行われていないと判定されると（ステップＳ１５：ＮＯ）、ステップＳ１２まで戻る。
【００４５】
ステップＳ１６では、制御装置１１は、有効キーの処理として、タッチキー３５に割り当てられた機能を実行する。すなわち、単体での接触で機能するタッチキー３５が有効キーになっているならば、タッチキー３５に割り当てられた単独の機能を実行する。複数のタッチキー３５の接触で機能する複数のタッチキー３５が有効キーになっているならば、複数のタッチキー３５の組み合わせに割り当てられたキーに対応する機能を実行する。
【００４６】
したがって、接触操作された或るタッチキー３５が表示状態に有るか無いかが判断されて、表示状態に無いときは意図しない接触操作が行われたと判断して、当該或るタッチキー３５が無効化されるので、ユーザが意図する接触操作が可能になる。
【００４７】
〔第２実施形態〕
次に、第２実施形態に係る操作装置９における制御装置１１によるキーの判断動作について、図８を参照しながら説明する。
【００４８】
ステップＳ２１では、キー接触判断部３７は、例えば、静電容量方式のタッチパネルにおいて或るタッチキー３５のレベルが設定値よりも下であるとき、或るタッチキー３５が接触によってＯＮ状態にあると判断する。
【００４９】
ステップＳ２２では、キー接触判断部３７は、複数のタッチキー３５のうち、どのタッチキー３５がＯＮ状態にあるかを抽出する。
【００５０】
ステップＳ２３では、キー表示判断部３８は、ＯＮ状態にあると抽出された或るタッチキー３５が、表示状態にあるか否かを判定する。
【００５１】
ＯＮ状態にあると抽出された或るタッチキー３５が、表示状態であると判定されると（ステップＳ２３：ＹＥＳ）、所定時間以上連続でＯＮ状態にあるか否かが判定される（ステップＳ２４）。所定時間というのは、長押しで接触操作される時間（例えば３秒）よりも長い時間であり、例えば５秒である。したがって、例えば５秒以上連続でＯＮ状態にあるか否かが判定される。
【００５２】
所定時間以上連続でＯＮ状態ではないと判定されると（ステップＳ２４：ＮＯ）、意図しない接触操作が行われていないと判断され、当該或るタッチキー３５が有効キーであるとして有効キーの抽出が行われる（ステップＳ２５）。例えば、３秒間の長押しキーが、意図する接触操作の有効キーとして抽出される。
【００５３】
ステップＳ２３では、キー無効化処理部３９は、或るタッチキー３５がＯＮ状態にあっても表示状態ではないと判定すると（ステップＳ２３：ＮＯ）、意図しない接触操作が行われたと判断して、有効キーの抽出を行わないようにキーの無効化処理を行う。
【００５４】
ステップＳ２４では、キー無効化処理部３９は、表示状態にあると判定されても、所定時間以上連続でＯＮ状態にあると判定されると（ステップＳ２３：ＮＯ）、意図しない接触操作が行われたと判断され、有効キーの抽出を行わないようにキーの無効化処理を行う。
【００５５】
ステップＳ２６では、全てのタッチキー３５についてキー検出が行われた否かが判定される。
【００５６】
ステップＳ２６では、全てのタッチキー３５についてキー検出が行われていないと判定されると（ステップＳ２６：ＮＯ）、ステップＳ２２まで戻る。
【００５７】
ステップＳ２７では、制御装置１１は、有効キーの処理として、タッチキー３５に割り当てられた機能を実行する。すなわち、単体での接触で機能するタッチキー３５が有効キーになっているならば、タッチキー３５に割り当てられた単独の機能を実行する。複数のタッチキー３５の接触で機能する複数のタッチキー３５が有効キーになっているならば、複数のタッチキー３５の組み合わせに割り当てられたキーに対応する機能を実行する。
【００５８】
したがって、所定時間以上の接触があるか否かが判断されて、所定時間以上の接触があるときは意図しない接触操作が行われたと判断して、当該或るタッチキー３５が無効化されるので、ユーザが意図する接触操作が可能になる。
【００５９】
〔第３実施形態〕
次に、第３実施形態に係る操作装置９におけるキーの判断動作について説明する。
【００６０】
図７のステップＳ１６及び図８のステップＳ２７において、有効キーの処理として、単体での接触操作で機能するタッチキー３５が有効キーになっているとき、一番最後に接触操作されたタッチキー３５を有効キーとして取り扱うことができる。これにより、ユーザが意図する接触操作が可能になる。
【００６１】
以上説明したように、この発明の操作装置９は、
情報を表示する表示部３４と、
前記表示部３４において設定に関する情報を表示するとともに、接触操作によって機能する複数のタッチキー３５と、
前記タッチキー３５の表示又は非表示を制御するキー表示制御部３６と、
前記タッチキー３５が接触状態にあるか否かを判断するキー接触判断部３７と、
前記タッチキー３５が表示状態にあるか否かを判断するキー表示判断部３８と、
前記タッチキー３５のうち、或るタッチキー３５に対して意図しない接触操作が行われたか否かを判断して、意図しない接触操作が行われたと判断したときには当該或るタッチキー３５を無効化するキー無効化処理部３９とを備えることを特徴とする。
【００６２】
上記構成によれば、或るタッチキー３５に対して接触操作が行われたか否かが判断されて、意図しない接触操作が行われたと判断されたときには当該或るタッチキー３５が無効化されるので、ユーザが意図する接触操作が可能になる。
【００６３】
好ましくは、前記意図しない接触操作が、前記或るタッチキー３５が表示状態に無いときになされた接触であることである。
【００６４】
上記構成によれば、表示状態に無いときは意図しない接触操作が行われたと判断して、当該或るタッチキー３５が無効化されるので、ユーザが意図する接触操作が可能になる。
【００６５】
好ましくは、前記意図しない接触操作が、前記或るタッチキー３５の接触状態が所定時間以上続いていることである。
【００６６】
上記構成によれば、所定時間以上の接触があるときは意図しない接触操作が行われたと判断して、当該或るタッチキー３５が無効化されるので、ユーザが意図する接触操作が可能になる。
【００６７】
好ましくは、前記タッチキー３５が、静電容量方式である。
【００６８】
上記構成によれば、操作感が無いために誤操作の起こりやすい静電容量方式ものでも、ユーザが意図する接触操作が可能になる。
【００６９】
また、この発明の電気機器１は、
上記の操作装置９と、
前記操作装置９になされた接触操作に応じて、所定の制御を行う制御装置１１とを備える。
【００７０】
上記構成によれば、該操作装置９を備える電気機器１において、意図しない接触操作に係るタッチキー３５が無効化されて、ユーザが意図する接触操作が可能になる。
【００７１】
好ましくは、前記電気機器１が、洗濯機である。
【００７２】
上記構成によれば、多くの選択肢及び多機能の運転内容を提供することが可能になる。
【００７３】
この発明の具体的な実施形態について説明したが、この発明は上記実施形態に限定されるものではなく、この発明の範囲内で種々変更して実施することができる。例えば、この発明は、乾燥機能を有さないドラム式洗濯機、ドラム式洗濯乾燥機、乾燥機能を有さない縦型洗濯機、縦型洗濯乾燥機などの様々なタイプの洗濯機に適用できる。
【００７４】
この発明に係る電気機器１は、洗濯機に限定されず、電子レンジや電磁調理器た炊飯器やオーブンなどの加熱調理器、掃除機やエアコンなどの家電機器、音楽プレーヤや携帯電話機などのモバイル端末、コピー機や複合機などの事務機器などである。
【符号の説明】
【００７５】
１…ドラム式洗濯機（電気機器）
１ａ…外箱
２…水槽
３…ドラム
６…外箱開口部
７…ドア
９…操作装置
１０…給水口
１１…制御装置
３０…スタートボタン
３１…電源ボタン
３２…ロック解除ボタン
３４…表示部
３５…タッチキー
３６…キー表示制御部
３７…キー接触判断部
３８…キー表示判断部
３９…キー無効化処理部
【図１】
2018013911.tif 000003
【図２】
2018013911.tif 000004
【図３】
2018013911.tif 000005
【図４】
2018013911.tif 000006
【図５】
2018013911.tif 000007
【図６】
2018013911.tif 000008
【図７】
2018013911.tif 000009
【図８】
2018013911.tif 000010